(57)【要約】【課題】特定の相手先から受信した受信原稿を容易に識別することができるファクシミリ装置を提供することを目的とする。【解決手段】しおりマークの印刷色を、それぞれの相手端末毎に指定することができるので、受信ユーザは、その受信原稿がどの相手先からのものであるかを明確に認識することができ、受信原稿の仕分け作業等が非常に容易になるという効果を得る。【選択図】          図２
2005045476.tif 000002
【特許請求の範囲】
【請求項１】
多色印刷機能を備えたファクシミリ装置において、
画情報受信時、受信原稿の１ページ目にしおりマークを印刷するか否かを設定するとともに、
それぞれの相手端末毎に、しおりマーク印刷色を登録し、
画情報受信時、相手端末にしおりマーク印刷色が登録されている場合には、当該しおりマーク印刷色で、受信原稿の１ページ目に所定のしおりマークを印刷することを特徴とするファクシミリ装置。
【請求項２】
多色印刷機能を備えたファクシミリ装置において、
画情報受信時、受信原稿の１ページ目にしおりマークを印刷するか否かを設定するとともに、
それぞれの相手端末毎に、しおりマーク印刷色と、その代替色を登録し、
画情報受信時、相手端末にしおりマーク印刷色が登録されており、そのしおりマーク印刷色で印刷可能な場合には、当該しおりマーク印刷色で、受信原稿の１ページ目に所定のしおりマークを印刷し、上記しおりマーク印刷色で印刷できない場合には、上記代替色で、受信原稿の１ページ目に所定のしおりマークを印刷することを特徴とするファクシミリ装置。
【請求項３】
前記代替色で、前記しおりマークを印刷する際、当該ページに、代替色を用いたことをあらわす代替色マークを印刷することを特徴とする請求項２記載のファクシミリ装置。
【請求項４】
多色印刷機能を備えたファクシミリ装置において、
それぞれの相手端末毎に、用紙の中央位置を表示するためのセンターマークを印字するか否かをあらわすセンターマーク印字フラグと、当該センターマークの印刷色をあらわすセンターマーク印刷色を登録し、
画情報受信時、相手端末に対応してセンターマークを印字する旨が設定されている場合には、上記センターマーク印刷色で、受信原稿の各ページ目に所定のセンターマークを印刷することを特徴とするファクシミリ装置。
【請求項５】
多色印刷機能を備えたファクシミリ装置において、
それぞれの相手端末毎に、用紙の中央位置を表示するためのセンターマークを印字するか否かをあらわすセンターマーク印字フラグと、当該センターマークの印刷色をあらわすセンターマーク印刷色と、その代替色を登録し、
画情報受信時、相手端末に対応してセンターマークを印字する旨が設定されており、そのセンターマーク印刷色で印刷可能な場合には、上記センターマーク印刷色で、受信原稿の各ページ目に所定のセンターマークを印刷し、上記センターマーク印刷色で印刷できない場合には、上記代替色で受信原稿の各ページ目に所定のセンターマークを印刷することを特徴とするファクシミリ装置。
【請求項６】
前記代替色で、前記センターマークを印刷する際、当該ページに、代替色を用いたことをあらわす代替色マークを印刷することを特徴とする請求項５記載のファクシミリ装置。
【発明の詳細な説明】
【発明の属する技術分野】
＠  本発明は、多色印刷機能を備えたファクシミリ装置に関する。
【従来の技術】
一般に、ファクシミリ装置では不特定多数の相手端末より画情報を受信するので、特定のユーザから受信した受信原稿を簡単に見分ける用にできると、便利である。
そこで、特定の相手先から受信した受信原稿を、当該ユーザに設定されている紙種や用紙の色で記録出力するようにしたり（特許文献１参照）、特定の相手先から受信すると対応する呼出音で呼び出すようにするものが提案されている（特許文献２参照）。
【特許文献１】
＠          特開平１１−２５２３４２号公報
【特許文献２】
＠          特開２０００−７８２６９号公報
【発明が解決しようとする課題】
＠  しかしながら、前者の場合には、設定されている紙がなくなった場合には、受信原稿を記録出力できないという不具合があり、また、後者の場合には、装置のそばにユーザが以内場合には、効果がないという不具合があった。
本発明はこのような課題を解決するために、特定の相手先から受信した受信原稿を容易に識別することができるファクシミリ装置を提供することを目的とする。
【課題を解決するための手段】
本発明は、多色印刷機能を備えたファクシミリ装置において、画情報受信時、受信原稿の１ページ目にしおりマークを印刷するか否かを設定するとともに、それぞれの相手端末毎に、しおりマーク印刷色を登録し、画情報受信時、相手端末にしおりマーク印刷色が登録されている場合には、当該しおりマーク印刷色で、受信原稿の１ページ目に所定のしおりマークを印刷するようにしたものである。
また、多色印刷機能を備えたファクシミリ装置において、画情報受信時、受信原稿の１ページ目にしおりマークを印刷するか否かを設定するとともに、それぞれの相手端末毎に、しおりマーク印刷色と、その代替色を登録し、画情報受信時、相手端末にしおりマーク印刷色が登録されており、そのしおりマーク印刷色で印刷可能な場合には、当該しおりマーク印刷色で、受信原稿の１ページ目に所定のしおりマークを印刷し、上記しおりマーク印刷色で印刷できない場合には、上記代替色で、受信原稿の１ページ目に所定のしおりマークを印刷するようにしたものである。また、前記代替色で、前記しおりマークを印刷する際、当該ページに、代替色を用いたことをあらわす代替色マークを印刷するようにしたものである。
また、多色印刷機能を備えたファクシミリ装置において、それぞれの相手端末毎に、用紙の中央位置を表示するためのセンターマークを印字するか否かをあらわすセンターマーク印字フラグと、当該センターマークの印刷色をあらわすセンターマーク印刷色を登録し、画情報受信時、相手端末に対応してセンターマークを印字する旨が設定されている場合には、上記センターマーク印刷色で、受信原稿の各ページ目に所定のセンターマークを印刷するようにしたものである。
また、多色印刷機能を備えたファクシミリ装置において、それぞれの相手端末毎に、用紙の中央位置を表示するためのセンターマークを印字するか否かをあらわすセンターマーク印字フラグと、当該センターマークの印刷色をあらわすセンターマーク印刷色と、その代替色を登録し、画情報受信時、相手端末に対応してセンターマークを印字する旨が設定されており、そのセンターマーク印刷色で印刷可能な場合には、上記センターマーク印刷色で、受信原稿の各ページ目に所定のセンターマークを印刷し、上記センターマーク印刷色で印刷できない場合には、上記代替色で受信原稿の各ページ目に所定のセンターマークを印刷するようにしたものである。また、前記代替色で、前記センターマークを印刷する際、当該ページに、代替色を用いたことをあらわす代替色マークを印刷するようにしたものである。
【発明の実施の形態】
＠  以下、添付図面を参照しながら、本発明の実施の形態を詳細に説明する。
図１は、本発明の一実施例にかかるグループ３ファクシミリ装置を示している。
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
スキャナ５は、所定の解像度で原稿画像を読み取るためのものであり、カラープロッタ６は、所定色で、かつ、所定の解像度で画像を記録出力するためのものである。例えば、カラープロッタ６は、シアン、マゼンタ、イエローの三原色を適用して、多色印刷物（モノカラー、フルカラー）を記録出力することができる。
操作表示部７は、このグループ３ファクシミリ装置を操作するためのもので、各種の操作キー、および、各種の表示器からなる。
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
網制御装置１１は、このグループ３ファクシミリ装置をアナログ公衆網ＰＳＴＮに接続するためのものであり、自動発着信機能を備えている。
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
また、網制御装置１１とグループ３ファクシミリモデム１０との間のデータのやりとりは、直接行なわれている。
さて、本実施例では、受信原稿に図２（ａ）に示すような各種のマークを追加記録することができる。
センターマークＣＭ１は、用紙の短手方向の中央位置を示すためのものであり、センターマークＣＭ２は、用紙の長手方向の中央位置を示すためのものである。これらのセンターマークＣＭ１，ＣＭ２は、印刷各ページに追加印刷される。
しおりマークＳＭは、１つの受信ジョブまたは印刷ジョブにおけるひとまとまりの印刷ページの区切りを示すものであり、通常、印刷ジョブの１ページ目に追加される。
また、これらのセンターマークＣＭ１，ＣＭ２、および、しおりマークＳＭは、受信原稿に付加する際には、通信の相手端末にあらかじめ登録された印刷色で印刷される。
さらに、その印刷色で印刷ができない場合、例えば、カラープロッタ６のトナーやインクが不足した場合などは、あらかじめ定められた代替色で、センターマークＣＭ１，ＣＭ２、および、しおりマークＳＭは印刷される。
また、このように代替色でセンターマークＣＭ１，ＣＭ２、および、しおりマークＳＭを印刷した場合には、当該印刷ページに代替色マークＫＭが追加印刷される。
この代替色マークＫＭは、同図（ｂ）に示すように、印刷色をあらわすマークＫ１、右向きの矢印マークＫ２、および、代替色で塗りつぶされたマークＫ３により構成されており、センターマークＣＭ１，ＣＭ２、あるいは、しおりマークＳＭの印刷色および代替色が一目で分かるようになっている。図示の場合は、「シアン」をあらわす文字「Ｃ」がマークＫ１の中央部にデフォルト色（普通は、黒色）で記録される。ここで、文字「Ｍ」は「マゼンタ」、文字「Ｙ」は「イエロー」、文字「Ｂ」は「黒」をあらわす。
このようなセンターマークＣＭ１，ＣＭ２、および、しおりマークＳＭの印刷色等については、図３（ａ）に示すような、しおりマーク指定情報テーブルに登録される。
このしおりマーク指定情報テーブルは、１つ以上のしおりマーク指定情報からなり、そのしおりマーク指定情報は、同図（ｂ）に示すように、端末識別情報（ＣＳＩ／ＲＴＩの内容）、指定された印刷色をあらわす印刷色情報、指定された代替色をあらわす代替色情報、センターマークＣＭ１，ＣＭ２を追加するか否かをあらわすセンターマーク印字フラグ、および、代替色マークを追加するか否かをあらわす代替色マーク印刷フラグからなる。
なお、代替色情報は、有意な内容が登録されない場合がある。その場合は、システムのデフォルト色（通常は、「黒色」）で印刷される。
また、しおりマークを追加するか否かは、このグループ３ファクシミリ装置のマシン設定情報の１つとして登録されており、例えば、同図（ｃ）に示したようなしおり印字フラグにその登録情報が格納される。
また、ユーザは、このようなしおり指定情報テーブルの登録内容をレポートとして出力させることができる。ユーザにより、適宜な操作がされて、しおり指定情報テーブルのレポート出力が指定されると、グループ３ファクシミリ装置は、しおり指定情報テーブルの内容に基づいて、例えば、図４に示すようなレポートを記録出力する。
図５は、このグループ３ファクシミリ装置が受信動作するときの処理の一例を示している。
まず、着信検出すると（処理１０１）、着信応答し（処理１０２）、所定のグループ３ファクシミリ着信時の伝送前手順を行い（処理１０３）、画情報を受信する（処理１０４）。このとき、受信した画情報は、一旦蓄積する。
画情報の受信が終了すると、所定の伝送後手順を行い（処理１０４）、回線を復旧して（処理１０５）、処理１０４で蓄積した画情報の印刷処理を行う（処理１０７）。
図６、図７および図８は、印刷処理（処理１０７）の一例を示している。
まず、伝送前手順で得られている相手先情報が、しおりマーク指定情報テーブルに登録されているかどうかを調べる（処理２０１、判断２０２）。
判断２０２の結果がＹＥＳになるときには、対応する相手先のしおりマーク指定情報を取得する（処理２０３）。
そして、処理ページ番号を管理するためのカウンタｎの値を「１」に初期設定し（処理２０４）、そのときのマシン設定情報のしおり印字フラグを取得して、しおりマークが印刷ＯＮに設定されているかどうかを調べる（判断２０５）。
判断２０５の結果がＹＥＳになるときには、しおりマーク指定情報の指定色情報で指定されている色を、印刷色として用いることができるかどうかを調べる（判断２０６）。判断２０６の結果がＹＥＳになるときには、しおりマーク印刷色として、指定色情報で指定されている色を指定する（処理２０７）。
しおりマーク指定情報の指定色情報で指定されている色を、印刷色として用いることができない場合、例えば、指定色の印刷用トナーやインクがない場合で、判断２０６の結果がＮＯになるときには、しおりマーク指定情報の代替色情報に有意な情報が含まれているかどうかを調べる（判断２０８）。判断２０８の結果がＹＥＳになるときには、しおりマーク印刷色として、代替色情報で指定されている色を指定する（処理２０９）。そして、代替色マーク印刷情報を当該ページの印刷情報に追加する（処理２１０）。ただし、しおりマーク指定情報の代替色マーク印字フラグがオフされている場合には、代替色マーク印刷情報を印刷情報に追加しない。
また、代替色情報に有意な情報が登録されていない場合で、判断２０８の結果がＮＯになるときには、しおりマーク印刷色として、デフォルト色を指定する（処理２１１）。
このように、しおりマークの印刷色の指定が終了すると、次に、その指定されたしおりマークの印刷色で、しおりマーク印刷情報を当該ページの印刷情報に追加する（処理２１２）。
次に、しおりマーク指定情報のセンターマーク印字フラグを調べて、センターマークの印刷をするかどうかを調べる（判断２１５）。判断２１５の結果がＹＥＳになるときには、しおりマーク指定情報の指定色情報で指定されている色を、印刷色として用いることができるかどうかを調べる（判断２１６）。判断２１６の結果がＹＥＳになるときには、センターマーク印刷色として、指定色情報で指定されている色を指定する（処理２１７）。
しおりマーク指定情報の指定色情報で指定されている色を、印刷色として用いることができない場合、例えば、指定色の印刷用トナーやインクがない場合で、判断２１６の結果がＮＯになるときには、しおりマーク指定情報の代替色情報に有意な情報が含まれているかどうかを調べる（判断２１８）。判断２１８の結果がＹＥＳになるときには、センターマーク印刷色として、代替色情報で指定されている色を指定する（処理２１９）。そして、代替色マーク印刷情報を当該ページの印刷情報に追加する（処理２２０）。ただし、しおりマーク指定情報の代替色マーク印字フラグがオフされている場合には、代替色マーク印刷情報を印刷情報に追加しない。また、当該ページについて、既に代替色マーク印刷情報が追加されている場合にも、再度の追加は行わない。
また、代替色情報に有意な情報が登録されていない場合で、判断２１８の結果がＮＯになるときには、センターマーク印刷色として、デフォルト色を指定する（処理２２１）。
このように、センターマークの印刷色の指定が終了すると、次に、その指定されたセンターマークの印刷色で、センターマーク印刷情報を当該ページの印刷情報に追加する（処理２２２）。
次に、ｎページ目の蓄積画情報の印刷処理を行う（処理２２３）。このとき、しおりマーク印刷情報またはセンターマーク印刷情報が追加されているときには、その追加されているしおりマーク印刷情報またはセンターマーク印刷情報の内容も印刷する。これにより、印刷ページには、しおりマークＳＭ、または、センターマークＣＭ１，ＣＭ２が追加されて印刷される。
次に、カウンタｎの値を１つ増やし（処理２２４）、次の印刷ページがあるかどうかを調べる（判断２２５）。判断２２５の結果がＹＥＳになるときには、判断２１５へ戻り、次のページの印刷動作を行う。
また、判断２１５の結果がＮＯになる場合には、センターマークＣＭ１，ＣＭ２を追加印刷しないので、処理２２３へ移行し、当該ページの印刷動作を行う。
また、１ページ目の印刷動作時であっても判断２０５の結果がＮＯになるときには、判断２１５へ進み、それ以降の処理を行う。
また、相手先情報が登録されていない場合で、判断２０２の結果がＮＯになるときには、処理ページ番号を管理するためのカウンタｎの値を「１」に初期設定し（処理２２６）、そのときのマシン設定情報のしおり印字フラグを取得して、しおりマークが印刷ＯＮに設定されているかどうかを調べる（判断２２７）。
判断２２７の結果がＹＥＳになるときには、しおりマーク印刷色として、デフォルト色を指定し、その指定されたしおりマークの印刷色で、しおりマーク印刷情報を当該ページの印刷情報に追加する（処理２２８）。
次に、ｎページ目の蓄積画情報の印刷処理を行う（処理２２９）。このとき、しおりマーク印刷情報が追加されているときには、その追加されているしおりマーク印刷情報の内容も印刷する。これにより、印刷ページには、しおりマークＳＭが追加されて印刷される。
次に、カウンタｎの値を１つ増やし（処理２３０）、次の印刷ページがあるかどうかを調べる（判断２３１）。判断２３１の結果がＹＥＳになるときには、処理２２９へ戻り、次のページの印刷動作を行う。
また、判断２２７の結果がＮＯになる場合には、１ページ目にしおりマークを印刷しないので、処理２２９へ移行し、当該ページの印刷動作を行う。
このようにして、本実施例では、しおりマークＳＭの印刷色を、それぞれの相手端末毎に指定することができるので、受信ユーザは、その受信原稿がどの相手先からのものであるかを明確に認識することができ、受信原稿の仕分け作業等が非常に容易になる。
また、センターマークＣＭ１，ＣＭ２が追加されるので、受信原稿を整理する際のパンチ孔等をあける作業が非常に簡単になる。
また、印刷色に代替色を設定できるので、設定した印刷色に対応したインクやトナーが切れている場合、代替色でしおりマークやセンターマークが印刷されるので、そのような場合に代行受信動作が行われるような事態を回避することができ、非常に便利である。また、代替色を用いた場合は、その旨を通知する代替色マークが印刷されるので、そのような事態をユーザは明確に知ることができ、確実な仕分け作業が可能となる。
なお、上述した実施例では、グループ３ファクシミリ装置に本発明を適用しているが、グループ４ファクシミリ装置や、ファクシミリ装置機能を備えた複合機等にも本発明を同様にして適用することができる。
【発明の効果】
＠  以上説明したように、本発明によれば、しおりマークの印刷色を、それぞれの相手端末毎に指定することができるので、受信ユーザは、その受信原稿がどの相手先からのものであるかを明確に認識することができ、受信原稿の仕分け作業等が非常に容易になるという効果を得る。
また、センターマークが追加されるので、受信原稿を整理する際のパンチ孔等をあける作業が非常に簡単になるという効果も得る。
また、印刷色に代替色を設定できるので、設定した印刷色に対応したインクやトナーが切れている場合、代替色でしおりマークやセンターマークが印刷されるので、そのような場合に代行受信動作が行われるような事態を回避することができ、非常に便利であるという効果も得る。
また、代替色を用いた場合は、その旨を通知する代替色マークが印刷されるので、そのような事態をユーザは明確に知ることができ、確実な仕分け作業が可能となるという効果も得る。
【図面の簡単な説明】
【図１】本発明の一実施例にかかるグループ３ファクシミリ装置を示したブロック図。
【図２】受信原稿に付加されるしおりマーク、センターマーク、および、代替色マークの一例を示した概略図。
【図３】しおりマーク指定情報テーブルの一例を示した概略図。
【図４】しおり指定情報テーブルの登録内容をレポートとして出力した場合のレポートの一例を示した概略図。
【図５】グループ３ファクシミリ装置が受信動作するときの処理の一例を示したフローチャート。
【図６】印刷処理（処理１０７）の一例を示したフローチャート。
【図７】印刷処理（処理１０７）の一例を示したフローチャート（図６の続き）。
【図８】印刷処理（処理１０７）の一例を示したフローチャート（図７の続き）。
【符号の説明】
１  システム制御部
２  システムメモリ
３  パラメータメモリ
６  カラープロッタ
【図１】
2005045476.tif 000003
【図２】
2005045476.tif 000004
【図３】
2005045476.tif 000005
【図４】
2005045476.tif 000006
【図５】
2005045476.tif 000007
【図６】
2005045476.tif 000008
【図７】
2005045476.tif 000009
【図８】
2005045476.tif 000010